(57)【要約】【課題】録音予約設定や録音時の情報に基づいてユーザが柔軟かつ容易に再生グループを構成する。【解決手段】本発明の音声記録装置は、記録メディア１５に音声データを記録する録音制御部１６と、音声データを再生する再生制御部１４と、音声データの属性情報を個々に管理する音声データ管理部１９と、音声データの属性情報のうち少なくとも１つの属性情報を特定する条件を指定するための属性指定部２０とを備え、音声データ管理部１９が、録音制御部１６により記録された個々の音声データを特定する識別情報と、音声データの録音状況を特定する録音情報を属性情報として管理し、再生制御部１４が、属性指定部２０により特定される属性情報を持つ音声データを録音順に再生する特徴を有し、グループ化が必要な際にグループ化するための情報をユーザに提供する。【選択図】図１
2007305187.tif 000002
【特許請求の範囲】
【請求項１】
音声データをデジタルサンプリングして記録メディアに記録する音声記録装置において、
記録メディアに音声データをデジタルサンプリングして記録する録音制御手段と、
上記音声データを記録単位で再生する再生制御手段と、
上記音声データの属性情報を個々に管理する音声データ管理手段と、
上記音声データの属性情報のうち少なくとも１つの属性情報を特定する条件を指定するための属性指定手段とを備え、
上記音声データ管理手段が、上記録音制御手段により記録された個々の音声データを特定する識別情報と、音声データの録音状況を特定する録音情報を属性情報として管理し、上記再生制御手段が、上記属性指定手段により特定される属性情報を持つ音声データを録音順に再生することを特徴とする音声記録装置。
【請求項２】
音声データをデジタルサンプリングして記録メディアに記録する音声記録装置において、
記録メディアに音声データをデジタルサンプリングして記録する録音制御手段と、
上記音声データを記録単位で同じあるいは別の記録メディアに複製するデータ複製手段と、
上記音声データの属性情報を個々に管理する音声データ管理手段と、
上記音声データの属性情報のうち少なくとも１つの属性情報を特定する条件を指定するための属性指定手段とを備え、
上記音声データ管理手段が、上記録音制御手段により記録された個々の音声データを特定する識別情報と、音声データの録音状況を特定する録音情報を属性情報として管理し、上記データ複製手段が、上記属性指定手段により特定される属性情報を持つ音声データを録音順に複製することを特徴とする音声記録装置。
【請求項３】
音声データをデジタルサンプリングして記録メディアに記録する音声記録装置において、
記録メディアに音声データをデジタルサンプリングして記録する録音制御手段と、
上記音声データを記録単位で同じあるいは別の記録メディアに移動するデータ移動手段と、
上記音声データの属性情報を個々に管理する音声データ管理手段と、
上記音声データの属性情報のうち少なくとも１つの属性情報を特定する条件を指定するための属性指定手段とを備え、
上記音声データ管理手段が、上記録音制御手段により記録された個々の音声データを特定する識別情報と、音声データの録音状況を特定する録音情報を属性情報として管理し、上記データ移動手段が、上記属性指定手段により特定される属性情報を持つ音声データを録音順に移動することを特徴とする音声記録装置。
【請求項４】
上記属性指定手段により特定される属性情報は録音予約情報である、請求項１乃至３に記載の音声記録装置。
【発明の詳細な説明】
【技術分野】
【０００１】
本発明は、音声データを記録メディアに記録し、記録した音声データを再生する音声記録再生装置に関する。
【背景技術】
【０００２】
音声を記録、再生する音響装置は広く普及している。これらの装置が記録する記録メディアは古くはカセットテープに代表される磁気テープが主流であったが、最近では音声データをデジタルデータとして扱うことが一般的になりつつあり、光ディスクや半導体メモリ、ＨＤＤなど、高速でランダムアクセス性に優れた記録メディアが主流になっている。また、これらの記録メディアは年々大容量化してきている。
【０００３】
このような大容量の記録メディアを搭載する録音装置では、録音したデータが多くなるほど、再生したい記録データを見つけ出すことが煩雑になる。また画像、映像データはサムネイル表示などで視覚的に目的のデータを探し出すことが容易であるが、音声データは視覚的な補助がなければ逐一聴いてみないと目的のデータかどうかがわからない。
【０００４】
記録した各々のデータに識別可能な名前を付与できる機器も存在するが、ユーザにとって文字の入力作業は煩雑である。また、録音ソースがＣＤ（コンパクトディスク）の場合、ダビング時などに、コンテンツ情報をキーとして内蔵データベースやオンラインに接続されたサーバからＣＤのタイトルを検索し、同タイトル文字を自動的に付与するような装置も存在するが、録音ソースがマイク入力などのアナログ音声入力信号であったり、ラジオ放送番組であった場合などはそのような手段が利用できない。
【０００５】
一方でラジオ放送番組などは１週間を単位として、特定の曜日の特定の時刻に連続シリーズ番組が放送される場合が多く、録音予約機能を備えた機器の中には、録音日を「毎日」「毎週」「月火水木金」「土日」などに設定することによって、１つの予約設定で番組を周期的に録音することができるようにしたものも多い。このような番組の周期性を利用した予約設定機能と再生順を関連付けた映像・音声記録再生装置が考案されている（例えば、特許文献1参照）。
【０００６】
この装置は予約録画／録音を制御する予約設定手段が、周期的な録画／録音の予約情報に、更新記録の処理単位となる番組数を付加し、番組を記録する記録制御手段が、上記周期的な予約情報によって記録した複数の番組をグルーピングするための属性情報を、上記周期的な予約情報によって記録する番組に付加するとともに、すでに記録されている番組が上記周期的な予約情報によるものか否かをその番組の属性情報によって識別し、上記周期的な予約情報による番組を上記番組数ごとに上記記録メディアに更新記録するものである。この方法によれば、少なくとも１予約設定単位で記録データを再生グループとしてまとめることができ、記録データの検索性は向上する。
【特許文献１】特開2002-271720号公報
【発明の開示】
【発明が解決しようとする課題】
【０００７】
しかしながら、上記のような映像・音声記録再生装置においてシリーズ番組の再生グループ化は全て予約設定情報に基づいており、ユーザが予約設定外の時間に録音した番組をグループに追加したり、あるいはグループから特定の回の番組を削除したりすることが困難である。
【０００８】
このような問題は再生グループを順に再生することだけが目的であれば、特に大きな問題にはならないが、録音したデータを可搬性メディアなどに転送し、携帯型の音声再生装置などで外出先でこれを聴くといった場合、ユーザが柔軟かつ容易に再生グループのコンテンツを選択可能なように配慮する必要がある。
【０００９】
そこで、本発明は、録音予約設定や録音時の情報に基づいてユーザが柔軟かつ容易に再生グループを構成する音声記録装置を提供することを目的とする。
【課題を解決するための手段】
【００１０】
本発明の音声記録装置は、記録メディアに音声データをデジタルサンプリングして記録する録音制御手段と、上記音声データを記録単位で再生する再生制御手段と、上記音声データの属性情報を個々に管理する音声データ管理手段と、上記音声データの属性情報のうち少なくとも１つの属性情報を特定する条件を指定するための属性指定手段とを備え、上記音声データ管理手段が、上記録音制御手段により記録された個々の音声データを特定する識別情報と、音声データの録音状況を特定する録音情報を属性情報として管理し、上記再生制御手段が、上記属性指定手段により特定される属性情報を持つ音声データを録音順に再生する特徴を有し、グループ化が必要な際にグループ化するための情報をユーザに提供することで、上記従来技術と同じ効果を得るとともに、上記のような課題を解決しようとするものである。
【発明の効果】
【００１１】
再生グループの作成の際に録音情報をユーザに提供し、ユーザにグループ化条件を選択させることで、放送の周期性を利用したシリーズ番組の再生グループ化を行うことができる。この方法によれば録音の予約設定以外の録音データも検索対象とすることができ、ユーザは柔軟に再生リストを作成することができるようになる。
【発明を実施するための最良の形態】
【００１２】
図１は本発明の実施の形態であるＨＤＤ音声記録装置の概略である。
【００１３】
ユーザの操作は操作制御部１１で検出し、状況に応じて他の制御部に指示を要求する。入力切替部１８は操作制御部１１あるいはタイマ制御部１７の指示に基づいて、機器に入力される複数の音声入力ソースの中から録音対象となる入力ソースに切り替える処理を行う。タイマ制御部１７は録音タイマの設定を記憶し、設定時間になれば入力切替指示と録音開始指示をそれぞれ入力切替部１８と録音制御部１６に要求する。録音制御部１６は入力切替部１８が切り替えた入力ソースを、操作制御部１１の指示に基づいてデジタルサンプリングし、記録メディア１５に保存する。録音制御部１６は録音制御手段を実現する。記録メディア１５はＨＤＤである。再生制御部１４は記録メディア１５に記録された音声データを操作制御部１１の指示に基づいて、再生する処理を行う。再生制御部１４は再生制御手段を実現する。音声データ管理部１９は記録メディア１５に記録された音声データ個々の属性情報の書き換えと記憶を管理するブロックであり、音声データ管理手段を実現する。属性指定部２０はユーザが指定する記録属性情報の書き換えと記憶を管理するブロックであり、属性指定手段を実現する。
【００１４】
操作制御部１１は記録メディア１５にアクセス可能であり、音声データの複製及び移動の処理も行う。従って操作制御部１１はデータ複製手段とデータ移動手段を実現する。表示装置１２は液晶ディスプレイである。液晶ディスプレイはＬＣＤコントローラなどの制御素子をマイコンから制御するのが一般的であり、これらは表示装置１２に含む。ユーザ操作に係るメニュー項目など表示装置１２に出力する画像はＧＵＩ処理部１３が構成し、表示イメージに変換して出力する。一方で、装置本体あるいはリモコンなどのボタン操作などのキー入力情報は操作制御部１１が検知し、これをＧＵＩ処理部１３に通知する。ＧＵＩ処理部１３は押されたボタンに応じてメニュー項目を再構成したり、各制御ブロックに処理要求を出す。
【００１５】
操作制御部１１、ＧＵＩ処理部１３、音声データ管理部１９、属性指定部２０、録音制御部１６、再生制御部１４、タイマ制御部１７、入力切替部１８は主にマイコンとＲＡＭによって構成する。
【００１６】
図２は音声データと音声データを管理する音声データ管理情報の関係を図示したものである。音声データは録音されたデジタルオーディオデータの実体である。音声データはＰＣＭデータであっても、ＭＰ３に代表されるような圧縮音声データであっても本発明の本質には関係しない。また本実施例における音声データ及び音声データ管理情報はＨＤＤ上のファイルシステムにより管理される論理ファイルである。音声データはそれぞれが一意に特定できるファイル名を持つ。本実施例では図２に示すように00000001から始まるシリアル番号を付与することにし、これを音声データＩＤ番号と呼ぶ。音声データＩＤ番号は新しい録音データほど大きい数値となるように付与する。本実施例ではこの音声データＩＤ番号により、各音声データが録音された順番を判断する。
【００１７】
次に音声データ管理情報の構造を説明する。音声データ管理情報は管理すべき音声データの数のデータブロックからなる。各データブロックは入力ソース及び録音日及び録音開始時間と終了時間からなる録音情報を格納する録音情報格納領域２２と該当する音声データが一意に特定できる音声データ特定情報格納領域２１を持つ。音声データを一意に特定できる情報とは本実施例の場合ファイル名である。なお、本実施例では音声データ管理情報は固定長のデータブロックからなる１つのファイルにより構成しているが、データブロック毎にファイルを分割してもよいし、データブロックが可変長であってもよい。ただし、処理時間を考慮すると高速アクセス可能なＲＡＭに展開可能なサイズを上限とする１ファイルで構成することが望ましい。
【００１８】
次に録音時のデータ格納手順について説明する。
【００１９】
ユーザが録音開始操作を行うか、あるいは録音予約設定により録音が開始する。録音予約による録音開始ではタイマ制御部１７が予約された入力ソースに切り替える。音声データ管理部１９は記録メディア１５の音声データ管理情報をＲＡＭ上に展開する。録音が開始すると、録音制御部１６はＲＡＭ上に音声データ管理情報の１データブロックを生成し、入力ソース及び録音日、録音開始時間の情報をデータブロックの録音情報格納領域２２の各領域に格納する。一方で録音制御部１６は入力ソースをデジタルサンプリングした音声データを順次音声データとして記録メディア１５に格納追記していく。
【００２０】
次にユーザが録音停止操作を行うか、あるいは録音予約設定により録音が終了する。録音を終了する要求を受けた録音制御部１６は音声データのファイルをクローズして、論理ファイルを確定する。同時にＲＡＭ上に生成した音声データ管理情報のデータブロックの録音情報格納領域に録音終了時間の情報を格納し、該データブロックを記録メディア１５の音声データ管理情報ファイルに追記する。
【００２１】
以上が基本的なデータ格納手順であるが、録音予約設定ではなく、ユーザによる録音操作では録音中に入力ソースが切り替わる場合がある。例えば、ラジオのバンド切り替えや周波数変更操作である。この場合のデータ格納手順について説明する。
【００２２】
周波数変更などの入力ソース変更操作は操作制御部１１から録音制御部１６に通知する。録音制御部１６はこの通知を受けて、その時点にＲＡＭ上に生成している音声データ管理情報の録音情報格納領域の録音終了時間に現在時刻を格納し、該データブロックを記録メディア１５の音声データ管理情報ファイルに追記する。続いて新しくＲＡＭ上に音声データ管理情報のデータブロックを生成し、新しい入力ソース及び録音日、録音開始時間の情報を録音情報格納領域に格納する。なお、音声データは最初に録音開始した音声データを指したままである。以降、録音終了するまで、入力ソース変更操作が発生する度に同様の処理が繰り返されるが、周波数の変更は１回のタイミングで完了することはなく、ユーザが試聴したい周波数になるまで変更が繰り返される。このため本実施例では、録音開始後、あるいは入力ソースを変更した後に入力ソースの状態が安定するまでの一定時間は次のデータブロックの更新を行わないようにしている。
【００２３】
次に、以上のような手順で録音された音声データ及び音声データ管理情報を利用してユーザが再生グループを設定する方法とその実現手段を説明する。ユーザが再生グループを設定するためには、項目の選択をユーザに促すためのＧＵＩメニュー等を表示可能な表示装置を搭載するか、同ＧＵＩメニューをモニタ出力できることが望ましい。図３は本実施例で示す音声記録装置の操作パネルであり、液晶ディスプレイ３１にＧＵＩメニューが表示され、ユーザはそれを見ながら、カーソルを上下左右に移動するための十字キー３２、及び選択を確定するための決定操作キー３３を操作する。
【００２４】
本実施例において、ユーザが液晶ディスプレイに表示されるＧＵＩメニューを利用して再生リストを指定、あるいは作成する手順を説明する。まず、図４が本実施例のメインメニュー項目である。
【００２５】
Ｍ１．ユーザは十字キー３２を操作して、「再生リスト作成」の項目を選択し、決定操作キーを押すと図５の「再生リスト作成メニュー」の画面に遷移する。
【００２６】
Ｍ２．「録音情報を選択して作成」の項目を選択し、決定すると図６の「録音情報指定」メニュー画面に遷移する。
【００２７】
Ｍ３．図６−ａの「曜日」の選択項目を選択し決定すると、図７の「曜日選択」画面に遷移し、ユーザは「毎日」「月」「火」「水」「木」「金」「土」「日」「月火水木金」「土日」などを選択することができる。決定すると、図６の「録音情報指定」メニュー画面に戻り、図６−ａには図７の「曜日選択」画面で選択した曜日が表示される。
【００２８】
Ｍ４．図６−ｂの「時間」の選択項目を選択し決定すると、図８の「録音時間指定」画面に遷移し、同画面にて録音開始時間及び録音終了時間の入力をすることができる。決定すると、図６の「録音情報指定」メニュー画面に戻り、図６−ｂには図８の「録音時間指定」画面で選択した録音開始時間及び録音終了時間が表示される。
【００２９】
Ｍ５．図６−ｃの「入力」の選択項目を選択し決定すると、図９の「入力ソース選択」画面に遷移し、同画面にて入力ソースを選択することができる。「入力ソース選択」画面には、現在録音済みの入力ソースの一覧が表示され、ユーザは再生リストを作成したい入力ソースの項目を選択することができる。同画面の各項目はチェックボックス付きのリスト形式のＧＵＩメニューであり、一度に複数の項目を選択することができる。決定キーを押して図６の「録音情報指定」メニュー画面に戻ると、図６−ｃには図９の「入力ソース選択」画面で選択した入力ソースの一部が表示される。
【００３０】
Ｍ６．図６−ａ、ｂ、ｃ、が確定している状態で図６−ｄの「再生リスト作成」を選択して決定キーを押下すると、図６−ａ、ｂ、ｃ、に該当する音声データがチェックボックス付きのリスト形式で一覧表示される（図１０「再生リスト作成画面」）
Ｍ７．ユーザは図１０の「再生リスト作成画面」にて、最終的に再生リストに追加、削除する音声データを選択する。決定キーを押下すると、再生リストが作成される。
【００３１】
次にＭ１〜Ｍ７の各ユーザ操作に対応するソフトウェア処理Ｓ１〜Ｓ７について順に説明する。
【００３２】
Ｓ１．ＧＵＩ処理部は各項目をメニュー画面に表示し、現在選択中（アクティブ）の項目を反転表示させる。「再生リスト作成」の項目がアクティブである状態の時に決定キーの押下を検知すると、次の「再生リスト作成メニュー」を表示する。
【００３３】
Ｓ２．Ｓ１と同様に「録音情報を選択して作成」の項目がアクティブである状態の時に決定キーの押下を検知すると、次の「録音情報指定」メニューを表示する。
【００３４】
Ｓ３．「録音情報指定」メニューには「曜日」「時間」「入力」の項目を表示し、各項目は初期値としてそれぞれ「毎日」「指定しない」「指定しない」が選択状態にある。ＲＡＭには録音情報指定メニューの各項目のユーザ選択状態を一時的に記憶するＧＵＩレジスト情報のエリアが確保されており、その構造は図１１に示される。属性指定部２０はユーザの選択状態に応じて図１１に示すＧＵＩレジスト情報の曜日情報（１）、時間情報（２）、入力情報（３）を書きかえると同時に現在の選択状態を「録音情報指定」メニューの「曜日」「時間」「入力」の項目に表示する。Ｓ１と同様に「曜日」の項目がアクティブである状態の時に決定キーの押下を検知すると、次の「曜日選択」画面を表示する。「曜日選択」画面において、ＧＵＩ処理部１３は上下キーの押下を検知する度に順番に曜日項目「毎日」「月」「火」「水」「木」「金」「土」「日」「月火水木金」「土日」を表示させ、ユーザが決定キーを押下時点で表示していた曜日項目を、属性指定部２０がＧＵＩレジスト情報の曜日情報（１）に一時的に記録する。その後、図３の「録音情報指定」メニュー画面を再度表示する。
【００３５】
Ｓ４．Ｓ１と同様に「時間」の項目がアクティブである状態の時に決定キーの押下を検知すると、次の「録音時間指定」画面を表示する。「録音時間指定」画面では最初「録音開始時間」の項目を反転表示し、ユーザに同項目がアクティブ状態であることを示す。録音開始時間の項目がアクティブである状態の時に、ＧＵＩ処理部１３は上下キーの押下を検知する度に時刻を順に表示し、ユーザが決定キーもしくは、左右キーを押下時点で表示していた開始時刻をＧＵＩレジスト情報の時間情報（２）の開始時刻変数に一時的に記録する。同時に終了時刻項目をアクティブにし、同様のキー処理を検知して、終了時刻を時間情報（２）の終了時刻変数に一時的に記録する。その後、図６の「録音情報指定」メニュー画面を再度表示する。
【００３６】
Ｓ５．Ｓ１と同様に「入力」の項目がアクティブである状態の時に決定キーの押下を検知すると、次の「入力ソース選択」画面を表示する。ＧＵＩ処理部１３は同画面の表示情報のために入力ソースリスト５０（図１２）を作成する。この入力ソースリスト５０の作成方法について説明する。最初、入力ソースリスト５０に入力ソース情報は登録されていない。ＧＵＩ処理部１３は音声データ管理情報の全データブロックを順に参照し、各データブロックの入力ソース情報（バンド情報及び周波数情報）は未だ入力ソースリスト５０に登録されていなければ、この入力ソース情報を入力ソースリスト５０に登録する。最後のデータブロックまでこの処理を繰り返すと、入力ソースリスト５０に全ての入力ソース情報の登録が完了する。この入力ソースリストはすなわち、同処理を行う時点で本装置に記録されている音声データの全入力ソース情報である。ＧＵＩ処理部１３はこの入力ソースリスト５０の入力ソース情報を順に表示可能行までチェックボックス付きで表示する。ＧＵＩ処理部１３は上下キーの押下検知で各入力ソース情報の項目切り替え（反転表示）及び行送りによる反転表示を行い、左右キーの押下検知で現在選択（アクティブ）状態にある入力ソース情報のチェックボックスのＯＮ／ＯＦＦを切りかえる。決定キーの押下検知で、チェックボックスがＯＮになっている入力ソース情報を全てＧＵＩレジスト情報の入力情報（３）に一時的に格納する。
【００３７】
Ｓ６．Ｓ１と同様に「再生リスト作成」の項目がアクティブである状態の時に決定キーの押下を検知すると、次の「再生リスト作成」画面を表示する。ＧＵＩ処理部１３は同画面の表示情報のために再生グループ音声データリスト５１（図１３）をＲＡＭ上に一時的に作成する。この再生グループ音声データリスト５１の作成方法について説明する。最初、再生グループ音声データリスト５１に音声データは登録されていない。ＧＵＩ処理部１３は音声データ管理情報の全データブロックを順に参照し、ＧＵＩレジスト情報の曜日情報（１）、時間情報（２）、入力情報（３）に一致する音声データを検索する。
【００３８】
属性指定部２０による検索は図１４に示すフローに従う。まず、データブロックの録音日が、ユーザが「録音情報指定」メニューで指定した曜日情報、すなわちＧＵＩレジスト情報の曜日情報（１）の曜日範囲に入るかどうかを判断する。曜日範囲に入っていれば、次に、データブロックの録音開始時間あるいは録音終了時間が、ユーザが「録音情報指定」メニューで指定した録音開始時刻と録音終了時刻、すなわち、ＧＵＩレジスト情報の時間情報（２）に設定されている開始時刻と終了時刻の範囲に入るかどうかを判断する。開始時刻と終了時刻の範囲に入っていれば、次に、データブロックの入力ソースが、ユーザが「録音情報指定」メニューで指定した入力ソース、すなわち、ＧＵＩレジスト情報の入力情報（３）に一致するかどうかを判断する。入力情報（３）は複数の入力ソースが設定されている場合があるので、その全てについて一致するかどうかを判断する。曜日情報（１）、時間情報（２）、入力情報（３）の全てについて条件が一致すれば、その音声データの音声データＩＤ番号を再生グループ音声データリスト５１に登録する。この一連の処理を全データブロックに対して実施し、再生グループ音声データリスト５１の作成が完了する。また、再生グループ音声データリスト５１に登録された音声データＩＤ番号を昇順にソートし、再配置することで、録音順に並べ替えることができる。
【００３９】
Ｓ７．ＧＵＩ処理部１３は上下キーの押下検知で音声データのアクティブ／非アクティブ切り替え（反転表示）及び行送りによる反転表示を行い、左右キーの押下検知で現在選択（アクティブ）状態にある音声データのチェックボックスのＯＮ／ＯＦＦを切りかえる。決定キーの押下検知で、チェックボックスがＯＮになっている音声データＩＤ番号を全て再生リストに登録し、ユーザが指定する条件に一致する音声データの再生リストが最終的に確定する。
【００４０】
作成された再生リストはＨＤＤである記録メディア１５等に記録することで、機器の電源をＯＦＦ／ＯＮした後でも利用可能となる。
【００４１】
上記説明では、ＧＵＩレジスト情報の各情報はユーザが入力した情報に基づいて設定したが、録音予約情報をそのまま設定することもできる。すなわち、ＧＵＩレジスト情報の曜日情報（１）に録音予約の曜日設定を、時間情報（２）に録音予約の時間設定を、入力情報（３）に録音予約の録音ソース設定をそれぞれ設定することで、録音予約単位で再生リストを作成することが可能になる。
【００４２】
再生リストに従って音声データを再生する場合、ユーザは図４のメインメニュー項目から「再生リスト選択」を選択する。この時、ＧＵＩ処理部１３は再生処理部に再生要求指示を出し、再生処理部１４は再生リストの音声データID番号に従ってＨＤＤである記録メディア１５の音声データを順に再生する。
【産業上の利用可能性】
【００４３】
本発明に係る音声記録装置は、再生リストの作成の際に録音情報をユーザに提供し、ユーザに条件を選択させることで、放送の周期性を利用したシリーズ番組を再生グループ化することができるとともに、予約設定以外の録音データも検索対象として再生グループ化することができるため、音声データを記録メディアに記録し、記録した音声データを再生する音声記録再生装置等に有用である。
【図面の簡単な説明】
【００４４】
【図１】本発明の実施形態におけるHDD音声記録装置の概略構成図
【図２】本発明の実施形態における音声データと音声データ管理情報の関係を示した図
【図３】本発明の実施形態における音声記録装置の操作パネルを示した図
【図４】本発明の実施形態における「メインメニュー」画面表示を示した図
【図５】本発明の実施形態における「再生リスト作成メニュー」画面表示を示した図
【図６】本発明の実施形態における「録音情報指定」画面表示を示した図
【図７】本発明の実施形態における「曜日選択」画面表示を示した図
【図８】本発明の実施形態における「録音時間指定」画面表示を示した図
【図９】本発明の実施形態における「入力ソース選択」画面表示を示した図
【図１０】本発明の実施形態における「再生リスト作成」画面表示を示した図
【図１１】本発明の実施形態におけるGUIレジスト情報の構成を示した図
【図１２】本発明の実施形態における入力ソースリストの構成を示した図
【図１３】本発明の実施形態における再生グループ音声データリストの構成を示した図
【図１４】本発明の実施形態における属性指定手段による音声データの検索手順を示すフローチャート
【符号の説明】
【００４５】
１１    操作制御部
１２    表示装置
１３    GUI処理部
１４    再生制御部
１５    記録メディア（HDD）
１６    録音制御部
１７    タイマ制御部
１８    入力切替部
１９    音声データ管理部
２０    属性指定部
２１    音声データ特定情報格納領域
２２    録音情報格納領域
３１    液晶ディスプレイ
３２    十字キー
３３    決定操作キー
３４    入力切替キー
３５    録音開始キー
３６    再生制御キー
５０    入力ソースリスト
５１    再生グループ音声データリスト
【図１】
2007305187.tif 000003
【図２】
2007305187.tif 000004
【図３】
2007305187.tif 000005
【図４】
2007305187.tif 000006
【図５】
2007305187.tif 000007
【図６】
2007305187.tif 000008
【図７】
2007305187.tif 000009
【図８】
2007305187.tif 000010
【図９】
2007305187.tif 000011
【図１０】
2007305187.tif 000012
【図１１】
2007305187.tif 000013
【図１２】
2007305187.tif 000014
【図１３】
2007305187.tif 000015
【図１４】
2007305187.tif 000016